(57)【要約】【目的】本発明は、１枚のショールでありながら多数の用途に使用できるショール及びその編み方に関する発明である。【構成】本発明は、ショールを形成する個々のセットの一端が、他の一端より末広がりになるように目を増やしながら編み且つ表面は縦と横のラインが、裏面は縦のラインが際立つように編まれていることを特徴とする多用途ショールの構成及びショールを形成する個々のセットの一端が、他の一端より末広がりになるように目を増やしながら編み且つ表面は縦と横のラインが、裏面は縦のラインが際立つように編まれていることを特徴とする多用途ショールの編み方の構成とした。【選択図】  図１
2004211242.tif 000002
【特許請求の範囲】
【請求項１】
ショールを形成する個々のセットの一端が、他の一端より末広がりになるように目を増やしながら編み且つ表面は縦と横のラインが、裏面は縦のラインが際立つように編まれていることを特徴とする多用途ショール。
【請求項２】
ショールを形成する個々のセットの一端が、他の一端より末広がりになるように目を増やしながら編み且つ表面は縦と横のラインが、裏面は縦のラインが際立つように編まれていることを特徴とする多用途ショールの編み方。
【発明の詳細な説明】
【０００１】
【発明が属する技術分野】
本発明は、１枚のショールでありながら多数の用途に使用できるショール及びその編み方に関する発明である。
【０００２】
【従来の技術】
従来、使用されていたショールは横長に編まれたものであった。
【０００３】
【発明が解決しようとする課題】
しかしながら、従来のショールは折り方や巻き方を変えて使用することが難しく、羽織るという使用方法から離れることができず、様々な用途に使用しようとしてもできなかった。
【０００４】
そこで、本発明は、ショールの折り方や巻き方を変えることでショール以外にも多用途に使用できる多用途に使用できる多用途ショールを提供することを目的として開発したものである。
【０００５】
【課題を解決するための手段】
本発明は、上記の課題を解決するために、ショールを形成する個々のセットの一端が、他の一端より末広がりになるように目を増やしながら編み且つ表面は縦と横のラインが、裏面は縦のラインが際立つように編まれていることを特徴とする多用途ショールの構成及びショールを形成する個々のセットの一端が、他の一端より末広がりになるように目を増やしながら編み且つ表面は縦と横のラインが、裏面は縦のラインが際立つように編まれていることを特徴とする多用途ショールの編み方の構成とした。
【０００６】
【実施例】
以下に、図１〜図１９の添付図面に基づき、本発明である多用途ショールについて詳細に説明する。
【０００７】
図１は、本発明である多用途ショールの全体を示した背面図である。多用途ショール１は、縦長に編成し、上辺１ｅの幅と下辺１ｆの幅は同じ幅に編成してあり、左辺１ｇの長さは右辺１ｈの長さよりも長く略扇型の形状に編成してある。また、左辺１ｇには無数の襞（ひだ）ができ波状である。多用途ショール１は、Ｃ−Ｃ線を中心にして上編成部と下編成部は対称である。
【０００８】
図２は、本発明である多用途ショールの編み目を示した一部拡大図である。図１及び図２に示すように、本発明である多用途ショール１の編み目１ａは規則的に編まれており、縦方向と横方向共に編み目が真っ直ぐとなっている。
【０００９】
図２に示すように、一段目３、二段目３ａ、五段目３ｂ、六段目３ｃ、九段目３ｄ、一〇段目３ｅ、一三段目３ｆ、一四段目３ｇ及び一七段目３ｈは、シルクの素材の糸を一本取りの編み目である。
【００１０】
また、三段目２、四段目２ａ、七段目２ｂ、八段目２ｃ、一一段目２ｄ、一二段目２ｅ、一五段目２ｆ及び一六段目２ｇは、シルクを素材とする糸を四本取り且つ細ラメ二本取りの計６本のシルクの糸を使用している。
【００１１】
編み目１ａは、前記シルク一本取りの糸を二段分編み、次にシルク四本取り且つ細ラメ二本取りの糸を二段分編んでゆき交互に二段ずつ編んでゆく。即ち、一段目３、二段目３ａをシルク一本取りで編み次に三段目２、四段目２ａをシルク四本取り且つ細ラメ二本取りで編む。更に、五段目３ｂ、六段目３ｃをシルク一本取りで編み、七段目２ｂ、八段目２ｃをシルク四本取り且つ細ラメ二本取りで編んでゆく。
【００１２】
この後も、九段目３ｄ、十段目３ｅをシルク一本取り、十一段目２ｄ、十二段目２ｅをシルク四本取り且つ細ラメ二本取り、十三段目３ｆ、十四段目３ｇをシルク一本取り、十五段目２ｆ、十六段目２ｇをシルク四本取り且つ細ラメ二本取り、十七段目３ｈをシルクの糸一本取り・・・で二段ずつ交互に編んでゆく。
【００１３】
尚、図２で示したシルク糸の四本取り且つ細ラメの糸二本取りの段は、図１において太く横線となって現れている。
【００１４】
図３は、本発明である多用途ショールの全体の寸法を示した全体図である。尚、図３では、前記シルクの糸四本取り且つ細ラメの糸二本取りでできる横線が１７６本になるサイズの寸法図としている。また、Ａの部分を図２で説明した編み方とし、Ｂの部分を後に説明する編み返しの編み方とする。
【００１５】
先ず、編み始めとなる下辺１ｆをＡの部分が２９目、Ｂの部分が４８目で編み始める。Ａの部分は、横線の本数が増えるたびに目数を１つずつ増やしてゆき、横線が３４本目で目数６３目になる。
【００１６】
Ａの部分の３５本目からは１本置きに一目増やす編み方で１９回目を増やし、その後一本毎に一目増やす編み方を４回行い横線を４２本増やし、７６本まで編んでゆく。この時点で、目数は８６目まで増えており、最後の１２本分は目を増やさずに編んでゆく。
【００１７】
一方Ｂの部分の方は、目数４８目から初め、横線が増えるたびに目を２つずつ増やしてゆき３８本目で、目数が１２４目になるように編んでゆく。その後は、目数を増やさずに５０本編み、合計８８本目まで編んでゆく。この時点で、本発明である多用途ショール１のＣ−Ｃ線までの半分が編み上がっている。
【００１８】
後半分は、前述の編み方を逆に行う。即ち、Ａの部分は、１２本目まで目数８６目で編み、次に一本毎に一目減らす編み方を４回行い、その後一本置きに一目減らす編み方で１９回目を減らし６４本目まで編む。最後に、３４本分一本毎に二目減らす編み方で編み、最後目数２９目にする。
【００１９】
一方Ｂの部分の方は、目数を減らさずに横線５０本分編み、そこから横線が増えるたびに目を２つずつ減らしてゆき３８本目で目数が４８目になるように編んでゆく。これで、Ｃ−Ｃ線から上下対象の多用途ショール１となる。
【００２０】
図４は本発明である多用途ショールの一部の寸法を示した図、図５は一部の編み目を示した図、図６は段差部分の編み目を示した一部拡大図である。
【００２１】
図３及び図４に示すように、多用途ショール１は、複数の大小異なるセット１ｃからできている。図４に示したセット１ｃは、多用途ショール１の中で長い部分であるＡの部分が８６目、Ｂの部分が１２５目のセット１ｃである。
【００２２】
セット１ｃのシルク糸の一本取りは、Ａの部分では、▲１▼２段で始まっており、Ｂの部分に入ると数回の編み返しにより、▲１▼１２段まで増え末広がりになっている。また、シルク４本取り且つ細ラメ２本取りは、Ａの部分からＢの部分にかけて▲２▼２段のまま編んでゆく。
【００２３】
図５に示したセット１ｃは、図４に示したセット１ｃを９０度回転し、編み目と段数の増え方を示している。まず、シルクの糸４本取り且つ細ラメ２本取りを使用して、ＡからＢにかけて一段目５を編み、そのまま編み返し、ＢからＡに向かって二段目５ａを編む。
【００２４】
次に、シルク一本取りに変えて、前記二段目５ａに編み込ませながら三段目６をＡからＢにかけて編み、そのまま折り返してＡの方向に向かってＢの分だけ編み、第１引き返し編み４ａまで四段目６ｂを編む。
【００２５】
編み返した四段目６ｂは、第１引き返し編み４ａで編み返しを行い五段目６ｃをＢの分だけ編む。五段目６ｃは、第２引き返し編み４ｂで折り返し、六段目６ｄとなる。編み返した六段目６ｄは、Ａの方向に向かってＤの分だけ編む。
【００２６】
編み返した六段目６ｄは、第３引き返し編み４ｃで更に編み返しを行い七段目６ｅをＤの分だけ編み返し第４引き返し編み４ｄで編み返しを行い八段目６ｆをＡの方向に向かってＥの分だけ編む。
【００２７】
編み返した八段目６ｆは、第５引き返し編み４ｅで更に編み返しを行い九段目６ｇをＥの分だけ編み返し第６引き返し編み４ｆで編み返しを行い十段目６ｈをＡの方向に向かってＦの分だけ編む。
【００２８】
編み返した十段目６ｈは、第７引き返し編み４ｇで更に編み返しを行い十一段目６ｉをＦの分だけ編み返し第８引き返し編み４ｈで編み返しを行い十二段目６ｊをＡの方向に向かってＧの分だけ編む。
【００２９】
編み返した十二段目６ｊは、第９引き返し編み４ｉで更に編み返しを行い十三段目６ｋをＧの分だけ編み返し第１０引き返し編み４ｊで編み返しを行い十四段目６ａをＡまで編む。ここまでがセット１ｃの区切りとなり、前記の十四段目６ａが次のセット１ｃの一段目即ち、全体の十五段目５ｂ、十六段目５ｃと繋がる。
【００３０】
前記Ａ、Ｂ、Ｄ、Ｅ、Ｆ、Ｇの幅、即ち編み目の数は、特に特定してあるものではなく、一方が他方よりも幅広く末広がりになるように編み目の数を任意に変更して編んでも良いものとする。
【００３１】
次に図６を使用して段差を作るための編み返しを説明することとする。図６に示した編み目１ｂは、第２編み返し４ａ部分を拡大している。三段目６より編み返してきた四段目６ｂは、Ａの方向に向かってＢの分だけ折り返して編まれ第２編み返し４ａで編み返し五段目６ｃを前記四段目６ｂに編み込ませながら引き返してゆく。
【００３２】
図７から図１４は、本発明である多用途ショールの使用例を示した図である。本発明である多用途ショール１は、特に決まった着用方法があるものではなく、身につける人の使用したい形にショールを折り畳んだり、丸めたりしながら身につけることができるもので、図７から図１４に示したマネキン７に着せた着用例はほんの一部で、実際に着用方法は無限である。
【００３３】
図７は、本発明である多用途ショール１を肩から羽織り上半身全体を覆う一般的なショールの着用方法である。
【００３４】
図８は、本発明である多用途ショール１を上半身に巻き、襟部分をポートネックセーター風にした着用方法である。
【００３５】
図９は、本発明である多用途ショール１を肩から羽織り、一方の端を他方より長めに取り着物の襟のように合わせてジャケット風にした着用方法である。
【００３６】
図１０は、図３に示したＡの部分を巻き多用途ショール１の丈を全体的に詰め上半身に巻いた着用方法である。
【００３７】
図１１は、図３に示したＡの部分に襟ができるように巻き、肩から羽織ってコート風にした着用方法である。
【００３８】
図１２は、本発明である多用途ショール１を首に当たる部分であるＡの部分をタートルネック風に巻き、多用途ショール１全体の丈を長めに取りながら羽織る着用方法である。
【００３９】
図１３は、本発明である多用途ショール１の丈が短く胸の辺りに裾が来るように巻き、マフラー風にした着用方法である。
【００４０】
図１４は、襟の部分に二重の襟ができるように、Ａの部分を折り、腰上辺りに裾が来るように上半身に巻いた着用方法である。
【００４１】
図１５は、本発明である多用途ショールの正面図、図１６は、正面の編み目を示した一部拡大図である。図１５に示すように、多用途ショール１は正面より見ると縦のラインと共に、裏面では目立たなかった横のラインが目立つ。
【００４２】
この横のラインは、前述した複数の編み返しによりできるラインであり、多用途ショール１を色々な着こなし方をする際に、模様の一部となり、より鮮やかなショールとなる。
【００４３】
図１６に示すように、多用途ショール１の編み目１ｄは、図２で示した編み目１ａのおもて面である。編み目１ｄは、裏面の編み目１ａに比べ表面に凹凸が少ない。
【００４４】
図１７は、本発明である多用途ショールの他の実施例を示した正面図である。多用途ショール８は、ボタン８ａと３箇所にループ８ｂ、８ｂ、８ｂを備えている。このループ８ｂ、８ｂ、８ｂは、前記ボタン８ａを留めるためのもので、着用した際にボタン８ａで留めることにより、多用途ショール８が外れにくくなり、また形を維持しやすくする為のものである。
【００４５】
図１８は、本発明である多用途ショールの他の実施例の使用例を示した図である。図１８に示すように、前記ボタン８ａとループ８ｂを使用することで、胸元を大きく開けた状態で羽織った場合でも、多用途ショール８が外れにくくなる。
【００４６】
そのため、ただ羽織ったり巻いたりするだけでは形を維持し難かった着こなし方が可能となった。
【００４７】
図１９は、本発明である多用途ショールの使用例を示した図である。図１９に示すように、一方のショールの端を短くして羽織り、短くした側の右辺１ｈを摘んで、根本をゴムなどで結び、右辺１ｈを広げ花状のコサージュ９を作る。一方、長めにとった多用途ショール１の端は、端を短くとった側の肩までかける。
【００４８】
【発明の効果】
本発明は、以上に説明したような構成であるから以下の効果が得られる。第１に、一つのショールで巻き方、折り方、止め方等を自由自在にアレンジすることができ、一枚のショールで色々な形のショールを楽しむことができる。
【図面の簡単な説明】
【図１】本発明である多用途ショールの全体を示した背面図である。
【図２】本発明である多用途ショールの編み目を示した一部拡大図である。
【図３】本発明である多用途ショールの全体の寸法を示した全体図である。
【図４】本発明である多用途ショールの一部の寸法を示した図である。
【図５】本発明である多用途ショールの一部の編み目を示した図である。
【図６】本発明である多用途ショールの段差部分の編み目を示した一部拡大図である。
【図７】本発明である多用途ショールの使用例を示した図である。
【図８】本発明である多用途ショールの使用例を示した図である。
【図９】本発明である多用途ショールの使用例を示した図である。
【図１０】本発明である多用途ショールの使用例を示した図である。
【図１１】本発明である多用途ショールの使用例を示した図である。
【図１２】本発明である多用途ショールの使用例を示した図である。
【図１３】本発明である多用途ショールの使用例を示した図である。
【図１４】本発明である多用途ショールの使用例を示した図である。
【図１５】本発明である多用途ショールの正面図である。
【図１６】本発明である多用途ショールの正面の編み目を示した一部拡大図である。
【図１７】本発明である多用途ショールの他の実施例を示した正面図である。
【図１８】本発明である多用途ショールの他の実施例の使用例を示した図である。
【図１９】本発明である多用途ショールの使用例を示した図である。
【符号の説明】
１      多用途ショール
１ａ    編み目
１ｂ    編み目
１ｃ    セット
１ｄ    編み目
１ｅ    上辺
１ｆ    下辺
１ｇ    左辺
１ｈ    右辺
２      三段目
２ａ    四段目
２ｂ    七段目
２ｃ    八段目
２ｄ    十一段目
２ｅ    十二段目
２ｆ    十五段目
２ｇ    十六段目
３      一段目
３ａ    二段目
３ｂ    五段目
３ｃ    六段目
３ｄ    九段目
３ｅ    十段目
３ｆ    十三段目
３ｇ    十四段目
３ｈ    十七段目
４ａ    第１引き返し編み
４ｂ    第２引き返し編み
４ｃ    第３引き返し編み
４ｄ    第４引き返し編み
４ｅ    第５引き返し編み
４ｆ    第６引き返し編み
４ｇ    第７引き返し編み
４ｈ    第８引き返し編み
４ｉ    第９引き返し編み
４ｊ    第１０引き返し編み
５      一段目
５ａ    二段目
５ｂ    十五段目
５ｃ    十六段目
６      三段目
６ａ    十四段目
６ｂ    四段目
６ｃ    五段目
６ｄ    六段目
６ｅ    七段目
６ｆ    八段目
６ｇ    九段目
６ｈ    十段目
６ｉ    十一段目
６ｊ    十二段目
６ｋ    十三段目
７      マネキン人形
８      多用途ショール
８ａ    ボタン
８ｂ    ループ
９      コサージュ
【図１】
2004211242.tif 000003
【図２】
2004211242.tif 000004
【図３】
2004211242.tif 000005
【図４】
2004211242.tif 000006
【図５】
2004211242.tif 000007
【図６】
2004211242.tif 000008
【図７】
2004211242.tif 000009
【図８】
2004211242.tif 000010
【図９】
2004211242.tif 000011
【図１０】
2004211242.tif 000012
【図１１】
2004211242.tif 000013
【図１２】
2004211242.tif 000014
【図１３】
2004211242.tif 000015
【図１４】
2004211242.tif 000016
【図１５】
2004211242.tif 000017
【図１６】
2004211242.tif 000018
【図１７】
2004211242.tif 000019
【図１８】
2004211242.tif 000020
【図１９】
2004211242.tif 000021